(57)【特許請求の範囲】
【請求項１】
ガラスパネルと、前記ガラスパネルの後部に接続されたガラスファンネルとを有するバルブと、
前記バルブの後部に設けられた電子銃と、
前記バルブの後部外周に配置され、水平偏向コイルと、その外側に設けられた垂直偏向コイルと、さらにその外側に設けられたフェライトコアと、前記垂直偏向コイルに流れる垂直偏向電流に応じて、前記水平偏向コイルに流れる水平偏向電流を変化させる可飽和リアクタ素子とを少なくとも有する偏向ヨークと
を備えたカラー受像管装置において、
前記可飽和リアクタ素子が２つの永久磁石を備え、前記２つの永久磁石が前記偏向ヨークの垂直軸及び中心軸を含む平面と交差しており、かつ、前記２つの永久磁石のそれぞれの磁極面の中心を通る直線が前記平面と平行であることを特徴とするカラー受像管装置。
【発明の詳細な説明】
【０００１】
【発明の属する技術分野】
本発明は、カラー受像管装置に関するものである。
【０００２】
【従来の技術】
近年のディスプレイモニタに使用されるカラー受像管装置においては、曲率半径の大きな前面スクリーンを有するＣＲＴが用いられることに加えて、「ウィンドウズ」（マイクロソフト社の商標）のようなスクリーン周辺部にも必要な情報を表示させる頻度が高いソフトウエアの普及に伴い、スクリーン全域において繊細な画像を視認性よく表示することが要求されている。この要求に対する重要な要素がラスタ歪みであり、この要求に対する内容は非常に厳しいものとなってきている。このような状況の下、ラスタ歪みの一つである、縦線の中間部に残存するピンクッション歪みを、偏向ヨーク内に可飽和リアクタ素子を配置して補正する方法が提案されている（例えば、特開平９−１４９２８３号公報）。
【０００３】
図４は、従来の可飽和リアクタ素子を備えた偏向ヨークの上面図である。図４において、７は偏向ヨーク、６は偏向ヨーク７のフェライトコア、９は偏向ヨーク７に備えれらた可飽和リアクタ素子、１０は可飽和リアクタ素子９を構成する一対の永久磁石である。なお、説明の便宜のために、水平方向軸をＸ軸、垂直方向軸（図４の紙面に垂直な方向の軸）をＹ軸、偏向ヨーク７の中心軸（これはＣＲＴの管軸に一致する）をＺ軸とする。ここで、Ｘ軸とＹ軸とは中心軸（Ｚ軸）上で交差する。
【０００４】
図示したように、従来の可飽和リアクタ素子９は、永久磁石１０からの漏洩磁界が電子ビームに及ぼす影響を軽減するためにフェライトコア６上に配置されていた。更に、可飽和リアクタ素子９のコアに巻回されたコイルの引き出し線の配線の利便性、即ち、引き出し線を電子銃側に延ばして容易に電気的接続を得ることを考慮して、一対の永久磁石１０の磁極の向きがＸ軸と平行となるように、かつ一対の永久磁石１０が偏向ヨークの中心軸（Ｚ軸）と垂直軸（Ｙ軸）とを含む面を挟んで面対称となるように、可飽和リアクタ素子９が配置されていた。
【０００５】
【発明が解決しようとする課題】
しかしながら、上述のように曲率半径の大きな前面スクリーンを有するＣＲＴでは、コンバーゼンス特性とラスタ歪み特性とを両立させる観点から、水平偏向コイルおよび垂直偏向コイルはスクリーン側へ伸長されて大型化する傾向がある。その結果、偏向ヨーク７に対するフェライトコア６のサイズが相対的に小さくなり、具体的には、偏向ヨーク７の中心軸方向の長さに対するフェライトコア６の中心軸方向の長さが占める割合は、従来が約６０％であったのに対して、最近のものでは約４０％となり、偏向ヨーク７がフェライトコア６によって覆われる割合が減少してきている。
【０００６】
また、装置の低消費電力化を実現するために、水平偏向コイルおよび垂直偏向コイルは電子銃側へと伸長される傾向にある。この場合、電子銃側では水平偏向コイルと垂直偏向コイルとの間の絶縁処置が課題となるので、水平偏向コイルの引出し線はスクリーン側へと移動される。これは、水平偏向コイルの引出し線との電気回路接続の利便性から、可飽和リアクタ素子９を偏向ヨーク７内のスクリーン寄りの位置に配置する必要性を生じさせる。
【０００７】
以上により、可飽和リアクタ素子９をフェライトコア６上に配置することが困難となり、その永久磁石１０の漏洩磁界によって生じる、水平台形歪みと呼ばれるラスタ歪みが無視できなくなっている。
【０００８】
図５は、可飽和リアクタ素子の永久磁石１０からの漏洩磁界によってラスタ歪みが生じるメカニズムを説明する説明図である。図５は、カラー受像管装置の表示画面１７を正面方向から見た図である。
【０００９】
図示したように、可飽和リアクタ素子内の一対の永久磁石１０は、偏向ヨークの垂直軸（Ｙ軸）と中心軸とを含む面を挟んで配置され、その極性の向きはＸ軸と平行で、かつ該面に対して対称である。従って、各永久磁石が発生する漏洩磁界１５は相互に逆向きとなり、各漏洩磁界１５はその近傍を通過する電子ビーム１４に対して互いに異なる向きの力を及ぼす。即ち、画面１７の左上部に偏向される電子ビーム１４は下向きの力Ｆを受け、画面１７の右上部に偏向される電子ビーム１４は上向きの力Ｆを受ける。この結果、画面１７の上部において左下がりの水平台形歪み１８が発生する。
【００１０】
本発明は、上記の従来のカラー受像管装置の問題を解決し、可飽和リアクタ素子を有する偏向ヨークを備えたカラー受像管装置において、可飽和リアクタ素子の永久磁石から発生する漏洩磁界に起因する水平台形歪みと呼ばれるラスタ歪みを低減させることを目的とする。
【００１１】
【課題を解決するための手段】
上記の目的を達成するために、本発明のカラー受像管装置は、ガラスパネルと、前記ガラスパネルの後部に接続されたガラスファンネルとを有するバルブと、前記バルブの後部に設けられた電子銃と、前記バルブの後部外周に配置され、水平偏向コイルと、その外側に設けられた垂直偏向コイルと、さらにその外側に設けられたフェライトコアと、前記垂直偏向コイルに流れる垂直偏向電流に応じて、前記水平偏向コイルに流れる水平偏向電流を変化させる可飽和リアクタ素子とを少なくとも有する偏向ヨークとを備えたカラー受像管装置において、前記可飽和リアクタ素子が２つの永久磁石を備え、前記２つの永久磁石が前記偏向ヨークの垂直軸及び中心軸を含む平面と交差しており、かつ、前記２つの永久磁石のそれぞれの磁極面の中心を通る直線が前記平面と平行であることを特徴とする。
【００１２】
この構成により、可飽和リアクタ素子内にある２つの永久磁石からの漏洩磁界は、電子ビームが画面の左上部及び右上部のいずれに偏向された場合であっても、電子ビームに対して互いに打ち消し合うように作用するので、水平台形歪みの発生を抑えることができる。
【００１３】
【発明の実施の形態】
以下、本発明の実施の形態について、図面を用いて説明する。
【００１４】
図１に示すように、本発明の一実施の形態のカラー受像管装置は、ガラスパネル２と、ガラスパネル２の後部に接続されたガラスファンネル３とを有するバルブ１と、バルブ１の後部のネック部内に設けられた電子銃８と、バルブ１の後部外周に配置された偏向ヨーク７とを有する。偏向ヨーク７は、バルブ１の外周面に設けられた水平偏向コイル４と、その外側に設けられた垂直偏向コイル５と、さらにその外側に設けられたフェライトコア６と、垂直偏向コイル５に流れる垂直偏向電流に応じて、水平偏向コイル４に流れる水平偏向電流を変化させる可飽和リアクタ素子９とを少なくとも有する。
【００１５】
図２に可飽和リアクタ素子９の概略構成を示す。図示したように、可飽和リアクタ素子９は、コア１３ａ，１３ｂ，１３ｃ，１３ｄにそれぞれ巻回された第１リアクタコイル１１ａ，第２リアクタコイル１１ｂ，第３リアクタコイル１１ｃ，第４リアクタコイル１１ｄと、コア１３ｅに巻回された第５コイル１２と、コア１３ａ，１３ｂ及びコア１３ｃ，１３ｄにそれぞれ接して設けられた一対の永久磁石１０，１０とを有する。第１〜第４リアクタコイル１１ａ〜１１ｄは、図示したようにこの順に直列に接続され、更にこれらは水平偏向コイルと直列に接続される。第５コイル１２は垂直偏向コイルと直列に接続される。一対の永久磁石１０，１０は、第１及び第２のリアクタコイル１１ａ，１１ｂと第３及び第４のリアクタコイル１１ｃ，１１ｄとに互いに相反する方向の磁気バイアスをかけるように設置されている。従って、第５コイル１２に垂直偏向電流が流れると、該垂直偏向電流の波形変化に基づいて、第１〜第４リアクタコイル１１ａ〜１１ｄの磁気飽和状態が変化する。このようにして、垂直偏向コイルに流れる垂直偏向電流に応じて、水平偏向コイルに流れる水平偏向電流を変化させることができる。
【００１６】
図３は、このように構成された可飽和リアクタ素子９が設けられた本発明の偏向ヨーク７の上面図である。ここで、以下の説明の便宜のために、一対の永久磁石１０，１０のそれぞれの磁極面の中心を通る直線１０ａを定義し、以下これを「永久磁石の中心軸」と呼ぶ。図示したように、可飽和リアクタ素子９は、一対の永久磁石１０，１０がいずれも偏向ヨーク７の垂直軸（Ｙ軸）及び中心軸（Ｚ軸）を含む平面（ＹＺ平面）近傍に位置し、かつ、一対の永久磁石１０，１０の磁極の向き（即ち、上記永久磁石の中心軸１０ａ）が上記ＹＺ平面と平行になるように配置される。ここで、「一対の永久磁石１０，１０がＹＺ平面近傍に位置する」とは、一対の永久磁石１０，１０がＹＺ平面と交差していることを意味し、永久磁石の中心軸１０ａがＹＺ平面内に含まれているとき、本発明の効果が最大に発現するので最も好ましい。ＹＺ平面と平行な面内において、永久磁石の中心軸１０ａはＸＺ平面（Ｘ軸及びＺ軸を含む平面）と平行である必要はなく、電子ビームの最大垂直偏向角度以内の角度でＸＺ平面と交差していても良い。このときの中心軸１０ａの傾斜方向は、スクリーン側の永久磁石１０がその反対側の永久磁石１０よりＺ軸から離れる方向であることは言うまでもない。
【００１７】
次に、本発明のカラー受像管装置の作用について説明する。
【００１８】
画面の左上部に偏向される電子ビームは、電子銃側の永久磁石１０の漏洩磁界による力とスクリーン側の永久磁石１０の漏洩磁界による力とを受けるが、２つの力は相反するので、電子ビームへの影響はほぼ消失する。画面の右上部に偏向される電子ビームについても同様である。よって、画面上部における水平台形歪みの発生を抑えることができる。
【００１９】
次に、本発明の効果を確認した実施例について説明する。
【００２０】
図１に示す構成を有する対角サイズが５１ｃｍ、偏向角が９０°のカラー受像管装置において、図２に示す可飽和リアクタ素子９を、一対の永久磁石１０，１０の中心がいずれも偏向ヨーク７の垂直軸及び中心軸を含む平面（ＹＺ平面）内に位置し、かつ、その磁極の向き（永久磁石の中心軸１０ａ）が偏向ヨーク７の中心軸（Ｚ軸）と平行になるように配置した（実施例）。比較例として、同一の可飽和リアクタ素子９を、一対の永久磁石１０，１０の中心軸１０ａがＸ軸と平行となるように配置した以外は上記と同様のカラー受像管装置を用意した。そして、両カラー受像管装置について画面上部の水平台形歪みを測定したところ、比較例の場合には０．６ｍｍ発生していたのに対して、実施例の場合にはほぼ０ｍｍであった。
【００２１】
【発明の効果】
以上説明したように、本発明によれば、可飽和リアクタ素子内にある２つの永久磁石からの漏洩磁界は、電子ビームが画面の左上部及び右上部のいずれに偏向された場合であっても、電子ビームに対して互いに打ち消し合うように作用するので、水平台形歪みの発生を抑えることができる。
【図面の簡単な説明】
【図１】  本発明の一実施の形態のカラー受像管装置を示す側面断面図
【図２】  図１のカラー受像管装置に備えられる可飽和リアクタ素子の構成を示す平面図
【図３】  図１のカラー受像管装置の偏向ヨークにおける可飽和リアクタ素子の配置を示す平面図
【図４】  従来のカラー受像管装置の偏向ヨークにおける可飽和リアクタ素子の配置を示す平面図
【図５】  従来の可飽和リアクタ素子の配置がラスタ歪みに及ぼす影響を説明するための図
【符号の説明】
１  バルブ
２  ガラスパネル
３  ガラスファンネル
４  水平偏向コイル
５  垂直偏向コイル
６  フェライトコア
７  偏向ヨーク
８  電子銃
９  可飽和リアクタ素子
１０  永久磁石
１０ａ  永久磁石の中心軸
１１ａ，１１ｂ，１１ｃ，１１ｄ  リアクタコイル
１２  第５コイル
１３ａ，１３ｂ，１３ｃ，１３ｄ，１３ｅ  コア
１４  電子ビーム
１５  永久磁石からの漏洩磁界
１７  表示画面
【図１】
0003838542.tif 000002
【図２】
0003838542.tif 000003
【図３】
0003838542.tif 000004
【図４】
0003838542.tif 000005
【図５】
0003838542.tif 000006